(57)【要約】【課題】共通する履歴データを利用してユーザーの習熟度を正確に判断し、プリンタドライバの設定画面における設定項目の説明内容をユーザーの習熟度によって変更すること。【解決手段】第一のプリンタドライバによる実行済み印刷ジョブの設定情報と、第二のプリンタドライバによる実行済み印刷ジョブの設定情報と、を共通する履歴データとして記憶する。プリンタドライバの設定画面において説明を表示しようとする設定項目に関し、実行済み印刷ジョブにおいて何回使用されたのかを履歴データに基づき算出し、その算出された使用回数に基づき設定項目の説明を変化させる。【選択図】図１５
2008084074.tif 000002
【特許請求の範囲】
【請求項１】
第一の画像形成装置に印刷ジョブを実行させる第一のプリンタドライバと、
第二の画像形成装置に印刷ジョブを実行させる第二のプリンタドライバと、
前記第一のプリンタドライバによる実行済み印刷ジョブの設定情報と、前記第二のプリンタドライバによる実行済み印刷ジョブの設定情報と、を共通する履歴データとして記憶する記憶手段と、
印刷ジョブ設定画面における設定項目の説明を表示する表示手段と、
当該表示手段により説明を表示しようとする前記設定項目に関し、その設定項目の使用状態を前記履歴データに基づき判断する判断手段と、
当該判断手段により判断された使用状態に基づき前記設定項目の説明を変化させるべく前記表示手段を制御する制御手段と、
を有することを特徴とするデータ処理装置。
【請求項２】
前記判断手段は、前記表示手段により説明を表示しようとする前記設定項目に関し、その設定項目の使用回数を前記履歴データに基づき判断し、
前記制御手段は、前記判断手段により判断された使用回数に基づき前記設定項目の説明を変化させるべく前記表示手段を制御することを特徴とする請求項１に記載のデータ処理装置。
【請求項３】
前記表示手段により説明を表示しようとする前記設定項目に関し、前記判断手段により判断された使用回数が所定回数以上である場合は、その設定項目の説明として簡易型の説明を表示し、前記判断手段により判断された使用回数が所定回数未満である場合は、その設定項目の説明として詳細型の説明を表示するよう前記制御手段が前記表示手段を制御することを特徴とする請求項２に記載のデータ処理装置。
【請求項４】
前記表示手段により説明を表示しようとする前記設定項目に関し、前記第一のプリンタドライバにおける印刷ジョブ設定画面の設定方法と、前記第二のプリンタドライバにおける印刷ジョブ設定画面の設定方法との相違内容を含めて表示するよう前記制御手段が前記表示手段を制御することを特徴とする請求項１乃至３の何れか１項に記載のデータ処理装置。
【請求項５】
画像形成装置に印刷ジョブを実行させるプリンタドライバと、
前記プリンタドライバを再インストールする前に前記プリンタドライバにより実行した印刷ジョブの設定情報と、前記プリンタドライバを再インストールした後に前記プリンタドライバにより実行した前記プリンタドライバによる印刷ジョブの設定情報と、を共通する履歴データとして記憶する記憶手段と、
印刷ジョブ設定画面における設定項目の説明を表示する表示手段と、
当該表示手段により説明を表示しようとする前記設定項目に関し、その設定項目の使用状態を前記履歴データに基づき判断する判断手段と、
当該判断手段により判断された使用状態に基づき前記設定項目の説明を変化させるべく前記表示手段を制御する制御手段と、
を有することを特徴とするデータ処理装置。
【請求項６】
前記判断手段は、前記表示手段により説明を表示しようとする前記設定項目に関し、その設定項目の使用回数を前記履歴データに基づき判断し、
前記制御手段は、前記判断手段により判断された使用回数に基づき前記設定項目の説明を変化させるべく前記表示手段を制御することを特徴とする請求項５に記載のデータ処理装置。
【請求項７】
前記表示手段により説明を表示しようとする前記設定項目に関し、前記判断手段により判断された使用回数が所定回数以上である場合は、その設定項目の説明として簡易型の説明を表示し、前記判断手段により判断された使用回数が所定回数未満である場合は、その設定項目の説明として詳細型の説明を表示するよう前記制御手段が前記表示手段を制御することを特徴とする請求項６に記載のデータ処理装置。
【請求項８】
シートに画像を形成する画像形成装置と、
前記画像形成装置に印刷ジョブを実行させるプリンタドライバがインストールされている第一のデータ処理装置と、
前記画像形成装置に印刷ジョブを実行させるプリンタドライバがインストールされている第二のデータ処理装置と、
を有するデータ処理システムであって、
前記画像形成装置は、
前記第一のデータ処理装置により指示された実行済み印刷ジョブの設定情報と、前記第二のデータ処理装置により指示された実行済み印刷ジョブの設定情報と、を共通する履歴データとして記憶する第一の記憶手段を有し、
前記第一のデータ処理装置及び前記第二のデータ処理装置は、
印刷ジョブ設定画面における設定項目の説明を表示する表示手段と、
当該表示手段により説明を表示しようとする前記設定項目に関し、その設定項目の使用状態を前記履歴データに基づき判断する判断手段と、
当該判断手段により判断された使用状態に基づき前記設定項目の説明を変化させるべく前記表示手段を制御する制御手段と、
を有することを特徴とするデータ処理システム。
【請求項９】
前記判断手段は、前記表示手段により説明を表示しようとする前記設定項目に関し、その設定項目の使用回数を前記履歴データに基づき判断し、
前記制御手段は、前記判断手段により判断された使用回数に基づき前記設定項目の説明を変化させるべく前記表示手段を制御することを特徴とする請求項８に記載のデータ処理システム。
【請求項１０】
前記表示手段により説明を表示しようとする前記設定項目に関し、前記判断手段により判断された使用回数が所定回数以上である場合は、その設定項目の説明として簡易型の説明を表示し、前記判断手段により判断された使用回数が所定回数未満である場合は、その設定項目の説明として詳細型の説明を表示するよう前記制御手段が前記表示手段を制御することを特徴とする請求項９に記載のデータ処理システム。
【請求項１１】
前記第一のデータ処理装置及び前記第二のデータ処理装置は、
前記プリンタドライバによる実行済み印刷ジョブの設定情報を履歴データとして記憶する第二の記憶手段と、
前記画像形成装置と通信し、前記第一の記憶手段に記憶されている履歴データと前記第二の記憶手段に記憶されている履歴データを整合させる整合手段と、
を有することを特徴とする請求項８乃至１０の何れか１項に記載のデータ処理システム。
【請求項１２】
第一の画像形成装置に印刷ジョブを実行させる第一のプリンタドライバと、第二の画像形成装置に印刷ジョブを実行させる第二のプリンタドライバと、印刷ジョブ設定画面における設定項目の説明を表示する表示手段と、を有するデータ処理装置の動作プログラムであって、
前記第一のプリンタドライバによる実行済み印刷ジョブの設定情報と、前記第二のプリンタドライバによる実行済み印刷ジョブの設定情報と、を共通する履歴データとして記憶する記憶動作と、
前記表示手段により説明を表示しようとする前記設定項目に関し、その設定項目の使用状態を前記履歴データに基づき判断する判断動作と、
当該判断動作により判断された使用状態に基づき前記設定項目の説明を変化させる表示変更動作と、
を前記データ処理装置に実行させることを特徴とするデータ処理装置の動作プログラム。
【請求項１３】
前記判断動作は、前記表示手段により説明を表示しようとする前記設定項目に関し、その設定項目の使用回数を前記履歴データに基づき判断し、
前記表示変更動作は、前記判断動作により判断された使用回数に基づき前記設定項目の説明を変化させるべく前記表示手段を制御することを特徴とする請求項１２に記載のデータ処理装置の動作プログラム。
【請求項１４】
前記表示手段により説明を表示しようとする前記設定項目に関し、前記判断動作により判断された使用回数が所定回数以上である場合は、その設定項目の説明として簡易型の説明を前記表示手段に表示し、前記判断動作により判断された使用回数が所定回数未満である場合は、その設定項目の説明として詳細型の説明を前記表示手段に表示する動作を前記データ処理装置に実行させることを特徴とする請求項１３に記載のデータ処理装置の動作プログラム。
【請求項１５】
前記表示手段により説明を表示しようとする前記設定項目に関し、前記第一のプリンタドライバにおける印刷ジョブ設定画面の設定方法と、前記第二のプリンタドライバにおける印刷ジョブ設定画面の設定方法との相違内容を含めて前記表示手段に表示する動作を前記データ処理装置に実行させることを特徴とする請求項１２乃至１４の何れか１項に記載のデータ処理装置の動作プログラム。
【請求項１６】
画像形成装置に印刷ジョブを実行させるプリンタドライバと、印刷ジョブ設定画面における設定項目の説明を表示する表示手段と、を有するデータ処理装置の動作プログラムであって、
前記プリンタドライバを再インストールする前に前記プリンタドライバにより実行した印刷ジョブの設定情報と、前記プリンタドライバを再インストールした後に前記プリンタドライバにより実行した前記プリンタドライバによる印刷ジョブの設定情報と、を共通する履歴データとして記憶する記憶動作と、
前記表示手段により説明を表示しようとする前記設定項目に関し、その設定項目の使用状態を前記履歴データに基づき判断する判断動作と、
当該判断動作により判断された使用状態に基づき前記設定項目の説明を変化させる表示変更動作と、
を前記データ処理装置に実行させることを特徴とするデータ処理装置の動作プログラム。
【請求項１７】
前記判断動作は、前記表示手段により説明を表示しようとする前記設定項目に関し、その設定項目の使用回数を前記履歴データに基づき判断し、
前記表示変更動作は、前記判断動作により判断された使用回数に基づき前記設定項目の説明を変化させるべく前記表示手段を制御することを特徴とする請求項１６に記載のデータ処理装置の動作プログラム。
【請求項１８】
前記表示手段により説明を表示しようとする前記設定項目に関し、前記判断動作により判断された使用回数が所定回数以上である場合は、その設定項目の説明として簡易型の説明を前記表示手段に表示し、前記判断動作により判断された使用回数が所定回数未満である場合は、その設定項目の説明として詳細型の説明を前記表示手段に表示する動作を前記データ処理装置に実行させることを特徴とする請求項１７に記載のデータ処理装置の動作プログラム。
【請求項１９】
シートに画像を形成する画像形成装置と、
前記画像形成装置に印刷ジョブを実行させるプリンタドライバと、印刷ジョブ設定画面における設定項目の説明を表示する表示手段と、を有する第一のデータ処理装置と、
前記画像形成装置に印刷ジョブを実行させるプリンタドライバと、印刷ジョブ設定画面における設定項目の説明を表示する表示手段と、を有する第二のデータ処理装置と、
を有するデータ処理システムの動作プログラムであって、
前記第一のデータ処理装置により指示された実行済み印刷ジョブの設定情報と、前記第二のデータ処理装置により指示された実行済み印刷ジョブの設定情報と、を共通する履歴データとして記憶させる記憶動作を前記画像形成装置に実行させ、
前記表示手段により説明を表示しようとする前記設定項目に関し、その設定項目の使用状態を前記履歴データに基づき判断する判断動作と、
当該判断動作により判断された使用状態に基づき前記設定項目の説明を変化させる表示変更動作と、を前記第一のデータ処理装置又は前記第二のデータ処理装置に実行させることを特徴とするデータ処理システムの動作プログラム。
【請求項２０】
前記判断動作は、前記表示手段により説明を表示しようとする前記設定項目に関し、その設定項目の使用回数を前記履歴データに基づき判断し、
前記表示変更動作は、前記判断動作により判断された使用回数に基づき前記設定項目の説明を変化させるべく前記表示手段を制御することを特徴とする請求項１９に記載のデータ処理システムの動作プログラム。
【請求項２１】
前記表示手段により説明を表示しようとする前記設定項目に関し、前記判断動作により判断された使用回数が所定回数以上である場合は、その設定項目の説明として簡易型の説明を前記表示手段に表示し、前記判断動作により判断された使用回数が所定回数未満である場合は、その設定項目の説明として詳細型の説明を前記表示手段に表示する動作を前記第一のデータ処理装置又は前記第二のデータ処理装置に実行させることを特徴とする請求項２０に記載のデータ処理システムの動作プログラム。
【請求項２２】
前記プリンタドライバによる実行済み印刷ジョブの設定情報を共通する履歴データとして記憶する記憶動作と、
前記画像形成装置と通信し、前記画像形成装置に記憶されている履歴データと自己の装置に記憶されている履歴データを整合する整合動作と、
を前記第一のデータ処理装置又は前記第二のデータ処理装置に実行させることを特徴とする請求項１９乃至２１の何れか１項に記載のデータ処理システムの動作プログラム。
【発明の詳細な説明】
【技術分野】
【０００１】
本発明は、画像形成装置に印刷ジョブを実行させるデータ処理装置、データ処理システム、データ処理装置の動作プログラム及びデータ処理システムの動作プログラムに関するものである。
【背景技術】
【０００２】
近年、データ処理装置であるＰＣ（Ｐｅｒｓｏｎａｌ  Ｃｏｍｐｕｔｅｒ）は高機能化が進んでおり、それに伴ってＰＣ上で使用するアプリケーションも高機能化が進んでいる。また、ＰＣの周辺機器であるプリンタ、複合機等の画像形成装置も高機能化が進んでおり、集約印刷、オーバーレイ印刷、ステープル処理等、多様な出力形態をＰＣ上で設定することが可能である。
【０００３】
ＰＣや画像形成装置で高機能化が進むとユーザーは使用方法が分からない場合がある。その場合はヘルプ機能を利用し、必要なキーワードを入力して使用方法を理解する。しかし、ヘルプ機能を利用するにしても、すべてのユーザーに対して詳細な使用方法の説明を表示する必要はなく、例えば習熟度の高いユーザーに対して初心者向けの使用方法の説明を表示する必要はない。
【０００４】
そこでユーザーの習熟度によってヘルプ機能等の表示方法を変更する技術が提案されている。
【０００５】
特許文献１に記載の技術は、使用者の習熟度を判断し、習熟度の低い使用者には、誘導入力機能の提供頻度を高くし、習熟度の高い使用者には誘導入力機能の提供頻度を低くするという技術である。当該技術によれば習熟度の高いユーザーに対しては誘導入力機能が頻繁に表示されないため好ましい。
【特許文献１】特開平９−１５２９２６号公報
【発明の開示】
【発明が解決しようとする課題】
【０００６】
ＰＣにプリンタドライバがインストールされており、プリンタドライバの設定画面において集約印刷やオーバーレイ印刷等の設定項目を選択し、画像形成装置に印刷ジョブを実行させる場合について検討する。
【０００７】
画像形成装置に印刷ジョブを実行させる場合でもプリンタドライバの設定画面において設定項目の説明をヘルプ機能により表示し、特許文献１に記載の技術のようにユーザーの習熟度により説明内容を異ならせることが好ましい。また、ＰＣに複数のプリンタドライバがインストールされており、あるユーザーが複数のプリンタドライバ間で同じ設定項目（例えば集約印刷）を選択して印刷ジョブを実行する場合、そのユーザーにとってその設定項目は習熟されているため、その設定項目の説明をヘルプ機能で表示する場合は簡易な説明を表示すれば十分である。
【０００８】
しかし、複数のプリンタドライバ間でユーザーの習熟度を判断しようとしても、各プリンタドライバによって実行された印刷ジョブの履歴データはプリンタドライバ毎に固有のデータ形式となっており、複数のプリンタドライバ間で履歴データを共有することが出来なかったため、複数のプリンタドライバ間でユーザーの習熟度を判断することは困難であった。
【０００９】
また、プリンタドライバの不具合によりプリンタドライバを再インストールしてしまうと、再インストール前に実行された印刷ジョブの履歴データが一旦消去されてしまう場合があり、この場合は履歴データをもとに一つのプリンタドライバにおいてユーザーの習熟度を判断しようとしても正確に判断することが出来ない。
【００１０】
さらにあるユーザーが一つの画像形成装置を２つのＰＣを使用して印刷ジョブを実行させる場合、１台目のＰＣを使用して実行させた印刷ジョブの履歴データと１台目のＰＣを使用して実行させた印刷ジョブの履歴データが別々に管理されてしまうため、そのユーザーの習熟度が正確に判断することが出来ない。
【００１１】
従って、本発明の目的は、共通する履歴データを利用してユーザーの習熟度を正確に判断し、プリンタドライバの設定画面における設定項目の説明内容をユーザーの習熟度によって変更するデータ処理装置、データ処理システム、データ処理装置の動作プログラム及びデータ処理システムの動作プログラムを提供することにある。
【課題を解決するための手段】
【００１２】
上記目的を達成すべく、本発明に係るデータ処理装置は、
第一の画像形成装置に印刷ジョブを実行させる第一のプリンタドライバと、
第二の画像形成装置に印刷ジョブを実行させる第二のプリンタドライバと、
前記第一のプリンタドライバによる実行済み印刷ジョブの設定情報と、前記第二のプリンタドライバによる実行済み印刷ジョブの設定情報と、を共通する履歴データとして記憶する記憶手段と、
印刷ジョブ設定画面における設定項目の説明を表示する表示手段と、
当該表示手段により説明を表示しようとする前記設定項目に関し、その設定項目の使用状態を前記履歴データに基づき判断する判断手段と、
当該判断手段により判断された使用状態に基づき前記設定項目の説明を変化させるべく前記表示手段を制御する制御手段と、
を有することを特徴とするものである。
【００１３】
上記目的を達成すべく、本発明に係るデータ処理装置は、
画像形成装置に印刷ジョブを実行させるプリンタドライバと、
前記プリンタドライバを再インストールする前に前記プリンタドライバにより実行した印刷ジョブの設定情報と、前記プリンタドライバを再インストールした後に前記プリンタドライバにより実行した前記プリンタドライバによる印刷ジョブの設定情報と、を共通する履歴データとして記憶する記憶手段と、
印刷ジョブ設定画面における設定項目の説明を表示する表示手段と、
当該表示手段により説明を表示しようとする前記設定項目に関し、その設定項目の使用状態を前記履歴データに基づき判断する判断手段と、
当該判断手段により判断された使用状態に基づき前記設定項目の説明を変化させるべく前記表示手段を制御する制御手段と、
を有することを特徴とするものである。
【００１４】
上記目的を達成すべく、本発明に係るデータ処理システムは、
シートに画像を形成する画像形成装置と、
前記画像形成装置に印刷ジョブを実行させるプリンタドライバがインストールされている第一のデータ処理装置と、
前記画像形成装置に印刷ジョブを実行させるプリンタドライバがインストールされている第二のデータ処理装置と、
を有するデータ処理システムであって、
前記画像形成装置は、
前記第一のデータ処理装置により指示された実行済み印刷ジョブの設定情報と、前記第二のデータ処理装置により指示された実行済み印刷ジョブの設定情報と、を共通する履歴データとして記憶する第一の記憶手段を有し、
前記第一のデータ処理装置及び前記第二のデータ処理装置は、
印刷ジョブ設定画面における設定項目の説明を表示する表示手段と、
当該表示手段により説明を表示しようとする前記設定項目に関し、その設定項目の使用状態を前記履歴データに基づき判断する判断手段と、
当該判断手段により判断された使用状態に基づき前記設定項目の説明を変化させるべく前記表示手段を制御する制御手段と、
を有することを特徴とするものである。
【００１５】
上記目的を達成すべく、本発明に係るデータ処理装置の動作プログラムは、
第一の画像形成装置に印刷ジョブを実行させる第一のプリンタドライバと、第二の画像形成装置に印刷ジョブを実行させる第二のプリンタドライバと、印刷ジョブ設定画面における設定項目の説明を表示する表示手段と、を有するデータ処理装置の動作プログラムであって、
前記第一のプリンタドライバによる実行済み印刷ジョブの設定情報と、前記第二のプリンタドライバによる実行済み印刷ジョブの設定情報と、を共通する履歴データとして記憶する記憶動作と、
前記表示手段により説明を表示しようとする前記設定項目に関し、その設定項目の使用状態を前記履歴データに基づき判断する判断動作と、
当該判断動作により判断された使用状態に基づき前記設定項目の説明を変化させる表示変更動作と、
を前記データ処理装置に実行させることを特徴とするものである。
【００１６】
上記目的を達成すべく、本発明に係るデータ処理装置の動作プログラムは、
画像形成装置に印刷ジョブを実行させるプリンタドライバと、印刷ジョブ設定画面における設定項目の説明を表示する表示手段と、を有するデータ処理装置の動作プログラムであって、
前記プリンタドライバを再インストールする前に前記プリンタドライバにより実行した印刷ジョブの設定情報と、前記プリンタドライバを再インストールした後に前記プリンタドライバにより実行した前記プリンタドライバによる印刷ジョブの設定情報と、を共通する履歴データとして記憶する記憶動作と、
前記表示手段により説明を表示しようとする前記設定項目に関し、その設定項目の使用状態を前記履歴データに基づき判断する判断動作と、
当該判断動作により判断された使用状態に基づき前記設定項目の説明を変化させる表示変更動作と、
を前記データ処理装置に実行させることを特徴とするである。
【００１７】
上記目的を達成すべく、本発明に係るデータ処理システムの動作プログラムは、
シートに画像を形成する画像形成装置と、
前記画像形成装置に印刷ジョブを実行させるプリンタドライバと、印刷ジョブ設定画面における設定項目の説明を表示する表示手段と、を有する第一のデータ処理装置と、
前記画像形成装置に印刷ジョブを実行させるプリンタドライバと、印刷ジョブ設定画面における設定項目の説明を表示する表示手段と、を有する第二のデータ処理装置と、
を有するデータ処理システムの動作プログラムであって、
前記第一のデータ処理装置により指示された実行済み印刷ジョブの設定情報と、前記第二のデータ処理装置により指示された実行済み印刷ジョブの設定情報と、を共通する履歴データとして記憶させる記憶動作を前記画像形成装置に実行させ、
前記表示手段により説明を表示しようとする前記設定項目に関し、その設定項目の使用状態を前記履歴データに基づき判断する判断動作と、
当該判断動作により判断された使用状態に基づき前記設定項目の説明を変化させる表示変更動作と、を前記第一のデータ処理装置又は前記第二のデータ処理装置に実行させることを特徴とするものである。
【発明の効果】
【００１８】
本発明に係るデータ処理装置、データ処理システム、データ処理装置の動作プログラム及びデータ処理システムの動作プログラムによれば、共通する履歴データを利用してユーザーの習熟度を正確に判断し、プリンタドライバの設定画面における設定項目の説明内容をユーザーの習熟度によって変更することが出来る。
【発明を実施するための最良の形態】
【００１９】
図１は、ネットワークシステムの概略図である。
【００２０】
図１に示すネットワークシステム（データ処理システム）は複数の端末（ＰＣ）１０、２０と、複数のＭＦＰ（Ｍｕｌｔｉ  Ｆｕｎｃｔｉｏｎ  Ｐｅｒｉｐｈｅｒａｌ）３０〜５０が、ローカルエリアネットワーク（ＬＡＮ）１に接続されている。ＰＣ１０、２０（何れかのＰＣが第一のデータ処理装置、第二のデータ処理装置として機能する）にはＭＦＰ３０〜５０に関する複数のプリンタドライバ（何れかのプリンタドライバが第一のプリンタドライバ、第二のプリンタドライバとして機能する）がインストールされており、各ＰＣから各ＭＦＰに対して印刷ジョブを実行させることが出来る。ＭＦＰ３０〜５０は複写機能、プリンタ機能、ＦＡＸ機能を一体的に備えた画像形成装置であり、各ＭＦＰはローカルエリアネットワーク３（ＬＡＮ）を通じて互いに通信可能となっている。各ＭＦＰのＬＡＮ３への接続は１０Ｂａｓｅ−Ｔなどのインターフェースを介して接続されている。なお、ＬＡＮ上に接続されているＰＣとＭＦＰの個数は図示例に限定されるものではない。
【００２１】
図２は、ＰＣ１０とＭＦＰ３０の内部構成を示すブロック図である。なお、ＰＣ１０とＰＣ２０は同一の内部構成であり、ＭＦＰ３０〜５０は同一の内部構成となっている。
【００２２】
まずＰＣ１０の内部構成を説明する。
【００２３】
制御手段、判断手段、整合手段として機能するＣＰＵ１０１はＰＣ１０全体の動作を制御するものであり、システムバス１０９を介して、ＲＯＭ（Ｒｅａｄ  Ｏｎｌｙ  Ｍｅｍｏｒｙ）１０２やＲＡＭ（Ｒａｎｄｏｍ  Ａｃｃｅｓｓ  Ｍｅｍｏｒｙ）１０３等に接続されている。このＣＰＵ１０１は、ＲＯＭ１０２に格納されている各種制御プログラムを読み出してＲＡＭ１０３に展開し、各部の動作を制御する。また、ＣＰＵ１０１は、ＲＡＭ１０３に展開したプログラムに従って各種処理を実行し、その処理結果をＲＡＭ１０３に格納する。そして、ＲＡＭ１０３に格納した処理結果を所定の保存先に保存させる。
【００２４】
ネットワークインターフェイスカード（ＮＩＣ）１０８は、システムバス１０９とＬＡＮ１とのインターフェイスであり、ＮＩＣ１０６を介してＰＣ１０がＬＡＮ１と接続されている。
【００２５】
ＲＯＭ１０２は、プログラムやデータ等を予め記憶しており、磁気的、光学的記録媒体、若しくは半導体メモリで構成されている。本発明に動作プログラムはＲＯＭ１０２に記憶されており、所定の動作をＰＣ１０や図１に示すネットワークシステムに実行させている。
【００２６】
ＲＡＭ１０３は、ＣＰＵ１０１によって実行される各種制御プログラムによって処理されたデータ等を一時的に記憶するワークエリアを形成する。
【００２７】
記憶手段、第二の記憶手段として機能するハードディスク（ＨＤＤ）１０４は、各種データを記憶する大容量の記憶媒体であり、各種の画像データを保存する。ＭＦＰ３０〜５０のプリンタドライバはこのＨＤＤ１０４に記憶される。
【００２８】
通信部１０５は、データ通信を行う通信インターフェイスであって、例えば、ＵＳＢ（Ｕｎｉｖｒｓａｌ  Ｓｅｒｉａｌ  Ｂｕｓ）やＩＥＥＥ１２８４、ＩＥＥＥ１３９４、ＰＣＭＣＩＡ等により構成されている。
【００２９】
次にＭＦＰ３０の内部構成を説明する。
【００３０】
表示手段として機能する表示部１０６は、ＰＣ１０で動作しているアプリケーション等の動作を表示するものであり、例えばＰＣ１０からＭＦＰ３０に印刷ジョブを実行させる場合は、ＭＦＰ３０のプリンタドライバが操作部１０７によって起動され、設定画面が表示部１０６に表示される。そして表示された設定画面において集約印刷やオーバーレイ印刷等の選択が操作部１０７によって行われ、印刷ジョブの内容が決定する。
【００３１】
次にＭＦＰ３０の内部構成を説明する。
【００３２】
ＭＦＰ３０におけるＣＰＵ３０１、ＲＯＭ３０２、ＲＡＭ３０３、ＨＤＤ３０４、通信部３０５、ＮＩＣ３１０、システムバス３１１は、ＰＣ１０におけるＣＰＵ１０１等と同様の機能を有するため、詳細な説明は省略する。なおＭＦＰにおけるＨＤＤが第一の記憶手段として機能する。
【００３３】
画像読取部３０６は、原稿画像を光学的に読み取って電気信号に変換する。カラー原稿を読み取る場合は一画素当りＲＧＢ各１０ビットの輝度情報をもつ画像データを生成する。
【００３４】
画像読取部３０６によって生成された画像データや、ＰＣ１０から送信される画像データは画像処理部３０７によって画像処理される。ＭＦＰ３０でカラー印刷を実行する場合は、画像読取部３０７によって生成されたＲＧＢデータを画像処理部３０７における色変換ＬＵＴに入力し、ＲＧＢデータをＣＭＹＫデータに色変換する。そして、色変換した画像データに対して、階調再現特性の補正を行ったり、濃度補正ＬＵＴを参照して網点などのスクリーン処理を行なったり、細線を強調するためのエッジ処理を行ったりする。
【００３５】
画像形成部３０８は、画像処理部３０７によって画像処理された画像データを受け取り、シート上に画像を形成する。画像形成部３０８における画像形成方法はインクジェット式、レーザ式、熱転写式、ドットインパクト式等である。
【００３６】
操作表示部３０９は各種の設定を可能にするものである。操作表示部３０９は例えばタッチパネル形式となっており、ユーザーが操作表示部３０９を通じて入力することによりカラー印刷やモノクロ印刷に関する条件が設定される。
【００３７】
図３〜５はプリンタドライバの設定画面を示す説明図である。
【００３８】
ＰＣ１０、２０からＭＦＰ３０〜５０のいずれかに印刷ジョブを実行させる場合、図３〜５に示すようなプリンタドライバの設定画面が表示される。図３はＭＦＰ３０に関するプリンタドライバの設定画面、図４はＭＦＰ４０に関するプリンタドライバの設定画面、図５はＭＦＰ５０に関するプリンタドライバの設定画面である。
【００３９】
プリンタドライバの設定画面では印刷ジョブに関する各種の設定が可能であり、例えば、用紙方向、原稿サイズ、出力用紙のサイズ等を設定出来る。プリンタドライバの設定画面は色々な形式のものがあり、図３、図４に示すプリンタドライバの設定画面は同様の形式であるが、図５に示すプリンタドライバの設定画面は図３、図４に示す設定画面とは異なる形式である。プリンタドライバの設定画面が異なると設定方法も異なることになり、集約印刷の設定を例にして設定方法の相違を以下に説明する。
【００４０】
集約印刷とは複数の画像をシート１枚に集約する印刷形式であり、図３に示す設定画面で集約印刷を設定する場合はＧ１０に示す設定領域で設定する。まず「ページ割付」をチェックし、シート一枚に集約する画像の数を設定する。例えば２画像をシート一枚に集約する場合は「２ＵＰ」と設定し、４画像をシート１枚に集約する場合は「４ＵＰ」と設定する。またシートにおける各画像の順序（配置）や画像間に境界線を入れるか否かも設定できる。図４に示す設定画面で集約印刷を設定する場合はＧ２０に示す設定領域で設定し、設定方法は図３に示す設定画面と同様である。
【００４１】
一方、図５に示す設定画面で集約印刷を設定する場合はＧ３０に示す設定領域で設定する。Ｇ３０の設定領域ではチェックして集約印刷を選択することなくシート一枚に集約する画像の数を設定する。例えば２画像をシート一枚に集約する場合は「２ページ」と設定し、４画像をシート１枚に集約する場合は「４ページ」と設定する。また画像間に境界線を入れる場合は「境界線を印字」をチェックし、シートにおける各画像の順序（配置）を設定する場合はＧ３１の釦を押した上で別の画面で詳細に設定する。
【００４２】
このようにプリンタドライバの設定画面の形式が異なると設定方法も異なり、ユーザーはどのように設定するのか知りたい場合もある。そこで設定項目（例えば集約印刷の設定項目）に関してヘルプ機能により設定方法等の説明内容を表示することが考えられる。また説明を表示するにしてもユーザーの習熟度により説明内容を異ならせることが好ましい。例えばＭＦＰ３０〜５０に関するプリンタドライバ全体を通じて集約印刷をよく使用するユーザーに対してはどの設定画面においても集約印刷について詳しい説明を表示する必要はない。そこで複数のプリンタドライバ間で実行済み印刷ジョブの設定情報を共通する履歴データとして記憶し、複数のプリンタドライバでの使用状態（例えば使用回数）に基づきユーザーの習熟度を判断し設定項目の説明内容を異ならせる。以下、その内容について詳しく説明する。
【００４３】
図６は所定のプリンタドライバにより印刷ジョブを実行した場合のフローチャート図である。
【００４４】
まずＰＣ上で印刷ジョブを実行させるＭＦＰを選択し、そのプリンタドライバを起動する（ステップＳ１）。そして印刷ジョブ内容をプリンタドライバの設定画面上で設定し（ステップＳ２）、印刷ジョブを実行させるＭＦＰに画像情報等を送信して印刷ジョブを実行させる（ステップＳ３）。印刷ジョブが実行されると履歴データが作成され、ＰＣ又はＭＦＰのＨＤＤに履歴データが記憶される（ステップＳ４）。
【００４５】
図７〜図９は履歴データのうち集約印刷に関する履歴データの内容を示す説明図である。
【００４６】
図７はＭＦＰ３０で実行した集約印刷の履歴データ、図８はＭＦＰ４０で実行した集約印刷の履歴データ、図９はＭＦＰ５０で実行した集約印刷の履歴データである。図７〜図９に示すように履歴データは複数のプリンタドライバ間で共有可能な共通のファイル形式となっており、例えばＸＭＬ（Ｅｘｔｅｎｓｉｂｌｅ  Ｍａｒｋｕｐ  Ｌａｎｇｕａｇｅ）のファイル形式となっている。このようなファイル形式にすることにより、履歴データを集約し複数のプリンタドライバでの使用状態（例えば使用回数）を総合的に判断することが出来る。図７に示す履歴データをもとに履歴内容を詳しく説明する。
【００４７】
履歴データの先頭行には履歴データをユーザ毎に管理するためのユーザーＩＤログＲ１０が記録されており、例えば「Ｔａｎａｋａ」というユーザーＩＤが履歴データとして記録されている。次の行にはプリンタドライバの名称が記録されており、ＭＦＰ３０のプリンタドライバ名である「ＩＰ５１１Ａ」が履歴データとして記録されている。次のＲ１２〜Ｒ１４のログ内容は集約印刷の設定内容に関するものであり、Ｒ１２では集約印刷を意味するＮｕｐ設定画面の形式が「ｔｙｐｅ＝１」であり、集約印刷の設定がＯＮされたことが記録されている。「ｔｙｐｅ＝１」の設定画面は図３及び図４に示すプリンタドライバの設定画面の形式である。Ｒ１３では４ＵＰ（４画像をシート１枚に集約する）であることが記録され、Ｒ１４では集約された各画像の順序（配置）が左から右となることが記録されている。
【００４８】
図８の履歴データでは、ユーザーが「Ｔａｎａｋａ」（Ｒ２０のログ）、プリンタドライバ名が「ＩＰ４３２」（Ｒ２１のログ）、Ｎｕｐ設定画面の形式が「ｔｙｐｅ＝１」（Ｒ２２のログ）であることが記録されている。また集約印刷の設定に関しては２ＵＰ、集約された各画像の順序（配置）が右から左となることが記録されている。
【００４９】
図９の履歴データでは、ユーザーが「Ｔａｎａｋａ」（Ｒ３０のログ）、プリンタドライバ名が「Ｃ３５０」（Ｒ３１のログ）、Ｎｕｐ設定画面の形式が「ｔｙｐｅ＝２」（Ｒ３２のログ）であることが記録されている。また集約印刷の設定に関しては４ＵＰ、画像間に境界線が入り、集約された各画像の順序（配置）が右から左となることが記録されている。
【００５０】
図１０はＰＣとＭＦＰに記憶される履歴データの関係を示す説明図である。
【００５１】
図１０（ａ）はＰＣ１０とＭＦＰ３０との関係を示している。ＰＣ１０にはＭＦＰ３０のプリンタドライバＤ１０がインストールされている。プリンタドライバＤ１０の設定画面で印刷ジョブ内容を設定しＭＦＰ３０が印刷ジョブを実行すると、印刷ジョブの設定情報等に関する履歴データＬＯＧ１０がＰＣ１０のＨＤＤに記憶される。またＭＦＰ３０のＨＤＤにも履歴データＬＯＧ１０が記憶される。ＰＣ１０で記憶されているＬＯＧ１０とＭＦＰ３０で記憶されているＬＯＧ１０を整合させるため、定期的にＰＣ１０とＭＦＰ３０間で履歴データの更新がなされる。
【００５２】
また、ＰＣ１０においてプリンタドライバＤ１０を再インストールする場合、再インストールする前に実行した印刷ジョブの履歴データを消去せず、再インストールした後に実行した印刷ジョブの履歴データとともに共通のファイル形式でＨＤＤに記憶する。このようにすれば、プリンタドライバの再インストールという動作に影響されず、再インストール前後の履歴データに基づきユーザーの習熟度を判断出来る。そしてユーザーの習熟度によってプリンタドライバの設定画面における設定項目の説明内容を変更することが出来る。
【００５３】
図１０（ｂ）はＰＣ１０、２０とＭＦＰ３０との関係を示している。図１０（ｂ）ではＰＣ１０が第一のデータ処理装置、ＰＣ２０が第二のデータ処理装置として機能している。ＰＣ１０とＰＣ２０にはＭＦＰ３０のプリンタドライバＤ１０がインストールされている。ＰＣ１０からＭＦＰ３０へ印刷ジョブを実行させると、ＰＣ１０から実行させた印刷ジョブの設定情報等に関する履歴データがＰＣ１０とＭＦＰ３０のＨＤＤに記憶される。またＰＣ２０からＭＦＰ３０へ印刷ジョブを実行させると、ＰＣ２０から実行させた印刷ジョブの設定情報等に関する履歴データがＰＣ２０とＭＦＰ３０のＨＤＤに記憶される。
【００５４】
同じユーザーがＰＣ１０とＰＣ２０を通じてＭＦＰ３０に印刷ジョブを実行させると、そのユーザーが実行した印刷ジョブの履歴データとしてはＰＣ１０から実行させた印刷ジョブの履歴データとＰＣ２０から実行させた印刷ジョブの履歴データを合算したものになる。従って、ＭＦＰ３０のＨＤＤ（第一の記憶手段）には合算した履歴データＬＯＧ１０が記憶されているため、ＰＣ１０及びＰＣ２０はユーザー認証を実行して起動する毎にＭＦＰ３０と通信して自身のＨＤＤ（第二の記憶手段）に記憶されている履歴データを更新（整合）し、合算した履歴データＬＯＧ１０を自身のＨＤＤに記憶する。履歴データの整合はＰＣ１０又はＰＣ２０のＣＰＵが所定のプログラムにより実行する。このような方法により履歴データを更新すれば同じユーザーが複数のＰＣから一つのＭＦＰに印刷ジョブを実行させても、そのユーザーの使用状態が履歴データに基づいて判断することができ、そのユーザーの習熟度を正確に判断することが出来る。そしてユーザーの習熟度によってプリンタドライバの設定画面における設定項目の説明内容を変更することが出来る。
【００５５】
図１０（ｃ）はＰＣ１０とＭＦＰ３０、４０との関係を示している。ＰＣ１０にはＭＦＰ３０のプリンタドライバＤ１０とＭＦＰ４０のプリンタドライバＤ２０がインストールされている。プリンタドライバＤ１０の設定画面で印刷ジョブ内容を設定しＭＦＰ３０が印刷ジョブを実行すると、印刷ジョブの設定情報等に関する履歴データＬＯＧ１０がＰＣ１０のＨＤＤに記憶される。またＭＦＰ３０のＨＤＤにも履歴データＬＯＧ１０が記憶される。同様にプリンタドライバＤ２０の設定画面で印刷ジョブ内容を設定し、ＭＦＰ４０が印刷ジョブを実行すると、印刷ジョブの設定情報等に関する履歴データＬＯＧ２０がＰＣ１０のＨＤＤに記憶される。またＭＦＰ３０のＨＤＤにも履歴データＬＯＧ２０が記憶される。複数のプリンタドライバがインストールされていても履歴データは複数のプリンタドライバ間で共有可能な共通のファイル形式となっているため、履歴データＬＯＧ１０と履歴データＬＯＧ２０を合算した履歴データを利用すればユーザーの習熟度を正確に判断することが出来る。
【００５６】
なお、ＰＣ等のＨＤＤに記憶される履歴データは記憶して一定時間経過したら圧縮してもよい。ＨＤＤの記憶容量確保のためである。
【００５７】
図１１は履歴データをもとにユーザーの習熟度を判断するフローチャート図である。
【００５８】
まず、印刷ジョブを実行しようとする所定のプリンタドライバを起動し（ステップＳ１１）、ユーザー認証を実行する（ステップＳ１２）。ユーザー認証はユーザーの習熟度を判断するためにその主体となるユーザーを特定するために実行される。ユーザー認証はユーザーが入力するアカウント名とＩＤ番号に基づき実行される。
【００５９】
そして起動したプリンタドライバに対応したＭＦＰと通信し、ＭＦＰで記憶しているそのユーザーの履歴データをチェックして（ステップＳ１３）、ＭＦＰにそのユーザーの履歴データが有るか否か判断する（ステップＳ１４）。この判断はＰＣで記憶しているそのユーザーの履歴データとＭＦＰで記憶しているそのユーザーの履歴データを整合させてユーザーの習熟度を正確に判断するために行う。ＭＦＰにそのユーザーの履歴データがない場合は（ステップＳ１４；Ｎｏ）、ＰＣで記憶しているそのユーザーの履歴データを解析し（ステップＳ１５）、ＭＦＰにユーザーの履歴データがある場合は（ステップＳ１４；Ｙｅｓ）、ＭＦＰの履歴データとＰＣの履歴データを整合させ（ステップＳ１６）、整合した履歴データを解析する（ステップＳ１７）。ここでいう解析とは、そのユーザーが実行した印刷ジョブで集約印刷等の各設定項目をどれだけ使用したか調べることをいう。
【００６０】
そして他のプリンタドライバにおいてそのユーザーの履歴データがあるかどうか判断し（ステップＳ１８）、他のプリンタドライバにおけてそのユーザーの履歴データが有る場合は、履歴データを解析する（ステップＳ１９）。そして全てのプリンタドライバによる履歴データをもとに各設定項目の使用回数（使用状態）を算出（判断）する（ステップＳ２０）。この算出はＰＣにおけるＣＰＵが所定のプログラムにより実行する。なおステップＳ２０はユーザーの使用状態として各設定項目の使用回数を算出したが、ユーザーの使用状態を判断できるものであれば他の内容であっても構わない。
【００６１】
図１２は集約印刷に関する履歴データを合算したデータの一例を示した説明図である。
【００６２】
図１２に示すデータは、ユーザー「Ｔａｎａｋａ」（Ｒ４０のログ）が複数のプリンタドライバにおいて実行した印刷ジョブの履歴データを合算したものである。
【００６３】
Ｒ４１で示す領域のログ内容は「ｔｙｐｅ＝１」の設定画面において設定された集約印刷の履歴データに関するものである。２ＵＰ（Ｒ４３のログ）、４ＵＰ（Ｒ４４のログ）毎に集約され、履歴データの回数によりユーザー（当該例では「Ｔａｎａｋａ」）の使用回数を算出する。「＜」「＞」で括られたＲ４３１のログを１回の使用回数としていくつのログがあるか所定のプログラムによりＰＣのＣＰＵが算出する。
【００６４】
Ｒ４２で示す領域のログ内容は「ｔｙｐｅ＝２」の設定画面において設定された集約印刷の履歴データに関するものである。２ＵＰ（Ｒ４５のログ）、４ＵＰ（Ｒ４６のログ）毎に集約され、履歴データの回数によりユーザー（当該例では「Ｔａｎａｋａ」）の使用回数を算出する。
【００６５】
集約印刷が総合で何回使用されたか算出する場合は、２ＵＰ、４ＵＰ等の各々の使用回数を合算して使用回数を算出する。
【００６６】
なお、図１２では省略しているが、８ＵＰ、１６ＵＰに関しての履歴データも２ＵＰ、４ＵＰと同様に合算される。また、図１２では集約印刷という設定項目の使用回数を算出する方法を説明したが、オーバーレイ印刷等の他の設定項目に関しては同様な方法により使用回数が算出される。
【００６７】
図１３はユーザーの習熟度により設定項目の説明内容を異ならせる動作に関するフローチャート図である。
【００６８】
まずプリンタドライバの設定画面において設定項目をマウスでポイントする（ステップＳ２１）。そしてポイントされた設定項目（例えば集約印刷の設定項目）の使用回数が所定回数以上（例えば１０回以上）か否か判断する（ステップＳ２２）。使用回数は図１１及び図１２で説明した方法により算出される。
【００６９】
マウスでポイントした設定項目の使用回数が所定回数以上である場合は（ステップＳ２２；Ｙｅｓ）、ＰＣで認証されたユーザーはその設定項目に関して習熟度が高いと判断し、プリンタドライバの設定画面においてその設定項目の簡易型の説明を表示する（ステップＳ２３）。その例を図１４に示す。マウスのポインタＧ４１を例えば集約印刷の設定項目の箇所におくと、その設定項目に関する使用回数の判断（図１３におけるＳ２２の判断）がなされ、集約印刷に関して習熟度の高いユーザーに対しては「１枚に印刷するページ数を設定」という簡易型の説明Ｇ４０が表示される。習熟度の高いユーザーに対してはＧ４０で示すように集約印刷に関して詳しい説明が表示されないためそのユーザーにとって煩わしい表示とならない。
【００７０】
図１２のフローチャート図に戻って説明すると、ステップＳ２２の判断でポイントした設定項目の使用回数が所定回数以上ではないと判断すると（ステップＳ２２；Ｎｏ）、次に別のタイプのプリンタドライバでポイントした設定項目を使用した履歴があるかどうか判断する（ステップＳ２４）。認証されたユーザーがポイントした同じ設定項目を他のプリンタドライバで使用している場合、ユーザーが設定方法で混乱しないために設定方法の相違点を説明する必要があるため当該判断がなされる。当該判断の方法は履歴データからプリンタドライバのタイプ（図１２で示した「ｔｙｐｅ＝１」「ｔｙｐｅ＝２」）の情報と設定項目の情報によりＰＣのＣＰＵが判断する。
【００７１】
別のタイプのプリンタドライバでポイントした設定項目を使用した履歴があると判断した場合は、設定方法の相違を含めて詳細型の説明を表示する（ステップＳ２５）。その例を図１５に示す。マウスのポインタを例えば集約印刷の設定項目の箇所におくと、その設定項目に関する使用回数の判断（図１３に示すＳ２２の判断）がなされ、集約印刷に関して習熟度の低いユーザーに対してはＧ５０に示すような詳細型の説明が表示される。更にに詳しい操作説明を知りたい場合はＧ５１の釦を押し、印刷サンプルイメージを表示させたい場合はＧ５２の釦を押す。また別のプリンタドライバとの設定方法の違いを表示させたい場合はＧ５３を押し、図１６に示す画面に移る。図１６で示すように設定方法の違いが詳細に表示され、これによりユーザーが設定方法の相違を容易に理解することが出来る。
【００７２】
図１２のフローチャート図に戻って説明すると、ステップＳ２４で別のタイプのプリンタドライバでポイントした設定項目を使用した履歴がないと判断した場合は、設定方法の相違を含めず詳細型の説明を表示する（ステップＳ２６）。その例を図１７に示す。別のプリンタドライバとの設定方法の違いを表示する必要がないため、図１５におけるＧ５３に相当する釦は図１７の画面にはなく、必要な詳細型の説明のみ表示される。
【００７３】
以上説明したように複数のプリンタドライバ間で共有可能な共通の履歴データを利用すれば、複数のプリンタドライバ間で実行済み印刷ジョブの履歴データに基づきユーザーの習熟度を正確に判断することが出来るため、プリンタドライバの設定画面における設定項目の説明内容をユーザーの習熟度によって変更することが出来る。
【００７４】
本発明の実施の形態を図面によって説明してきたが、本発明は当該実施の形態に限定されるものではなく、本発明の要旨を逸脱しない範囲における変更や追加があっても本発明に含まれる。
【００７５】
図１３のフローチャート図では設定項目の使用回数をもとに設定項目の説明を変更していたが、履歴データからユーザーの慣れ具合を数値化し、その数値を用いて設定項目の説明を変更しても良い。例えば人間の記憶力を考慮してユーザーの習熟度を判断し設定項目の説明を変更する方法も考えられる。エビングハウス忘却曲線で表されるように人間は記憶してから一定期間は忘却が大きく、約４８時間で覚えたことの７０％近くは忘れてしまう。そしてその後は緩やかに忘却する。そこでこの特性及びユーザーの使用状態を所定の関係式にし、その関係式の数値に基づいてユーザーの習熟度を判断して設定項目の説明を変更しても良い。
【図面の簡単な説明】
【００７６】
【図１】ネットワークシステムの概略図である。
【図２】ＰＣ１０とＭＦＰ３０の内部構成を示すブロック図である。
【図３】ＭＦＰ３０に関するプリンタドライバの設定画面を示す説明図である。
【図４】ＭＦＰ４０に関するプリンタドライバの設定画面を示す説明図である。
【図５】ＭＦＰ５０に関するプリンタドライバの設定画面を示す説明図である。
【図６】所定のプリンタドライバにより印刷ジョブを実行した場合のフローチャート図である。
【図７】ＭＦＰ３０で実行した集約印刷の履歴データを示す説明図である。
【図８】ＭＦＰ４０で実行した集約印刷の履歴データを示す説明図である。
【図９】ＭＦＰ５０で実行した集約印刷の履歴データを示す説明図である。
【図１０】ＰＣとＭＦＰに記憶される履歴データの関係を示す説明図である。
【図１１】履歴データをもとにユーザーの習熟度を判断するフローチャート図である。
【図１２】集約印刷に関する履歴データを合算したデータの一例を示した説明図である。
【図１３】ユーザーの習熟度により設定項目の説明内容を異ならせる動作に関するフローチャート図である。
【図１４】プリンタドライバの設定画面において簡易型の説明を表示した例を示す説明図である。
【図１５】プリンタドライバの設定画面において詳細型の説明を表示した例を示す説明図である。
【図１６】別のプリンタドライバとの設定方法の相違を表示した例を示す説明図である。
【図１７】プリンタドライバの設定画面において詳細型の説明を表示した例を示す説明図である。
【符号の説明】
【００７７】
１  ＬＡＮ
１０、２０  端末（ＰＣ）
３０、４０、５０  ＭＦＰ
１０１、３０１  ＣＰＵ
１０２、３０２  ＲＯＭ
１０３、３０３  ＲＡＭ
１０４、３０４  ＨＤＤ
１０５、３０５  通信部
１０８、３１０  ネットワークインターフェイスカード（ＮＩＣ）
１０９、３１１  システムバス
Ｄ１０、Ｄ２０  プリンタドライバ
【図１】
2008084074.tif 000003
【図２】
2008084074.tif 000004
【図３】
2008084074.tif 000005
【図４】
2008084074.tif 000006
【図５】
2008084074.tif 000007
【図６】
2008084074.tif 000008
【図７】
2008084074.tif 000009
【図８】
2008084074.tif 000010
【図９】
2008084074.tif 000011
【図１０】
2008084074.tif 000012
【図１１】
2008084074.tif 000013
【図１２】
2008084074.tif 000014
【図１３】
2008084074.tif 000015
【図１４】
2008084074.tif 000016
【図１５】
2008084074.tif 000017
【図１６】
2008084074.tif 000018
【図１７】
2008084074.tif 000019